(57)【要約】【課題】地中構造物の構築用の足場を、効率の良い構成にする。【解決手段】足場構造１００は、下方に向って掘削領域１側に傾斜するように構築された土留壁１０と、土留壁１０に掘削領域１の底部から離間した状態で支持され、掘削領域１に地中構造物を構築するのに用いられる足場２０とを備える。【選択図】図１
2014148855.tif 000002
【特許請求の範囲】
【請求項１】
下方に行くに従って掘削領域側に寄るように構築された土留壁と、
前記土留壁に前記掘削領域の底部から離間した状態で支持され、前記掘削領域に地中構造物を構築するのに用いられる足場と
を備える地中構造物の構築用の足場構造。
【請求項２】
前記土留壁は、前記掘削領域の底部において、前記地中構造物の近傍に位置する請求項１に記載の地中構造物の構築用の足場構造。
【請求項３】
土留壁を下方に行くに従って掘削領域側に寄るように構築して前記掘削領域を掘削し、
前記掘削領域に地中構造物を構築するのに用いる足場を、前記土留壁に前記掘削領域の底部から離間した状態で支持されるように設置する地中構造物の構築用の足場の設置方法。
【発明の詳細な説明】
【技術分野】
【０００１】
本発明は、地中構造物の構築用の足場構造、及び、地中構造物の構築用の足場の設置方法に関する。
【背景技術】
【０００２】
地中構造物の構築方法として、地中構造物を構築する領域を囲むように土留壁を鉛直に構築して該土留壁に囲まれた領域を掘削してから、地中構造物を構築するための足場を、土留壁の近傍において掘削底面から上側へと組み上げていき、その後、地中構造物を、掘削底面から上側へと構築していく方法が知られている（例えば、特許文献１参照）。
【先行技術文献】
【特許文献】
【０００３】
【特許文献１】特開昭６１−２５４７５３号公報
【発明の概要】
【発明が解決しようとする課題】
【０００４】
特許文献１に記載の地中構造物の構築方法では、足場を掘削底面から上側へと組み上げていくが、掘削底面での配筋やコンクリート打設等の低所での作業に足場は不要であり、低所への足場の設置は、無駄な作業となる。また、その不要な低所の足場を設置するためには、設置スペースを掘削する必要があり、掘削量が無駄に増加する。
【０００５】
本発明は、上記事情に鑑みなされたものであり、地中構造物の構築用の足場を、効率の良い構成にすることを課題とするものである。
【課題を解決するための手段】
【０００６】
本発明の地中構造物の構築用の足場構造は、下方に行くに従って掘削領域側に寄るように構築された土留壁と、前記土留壁に前記掘削領域の底部から離間した状態で支持され、前記掘削領域に地中構造物を構築するのに用いられる足場とを備える。
【０００７】
前記土留壁は、前記掘削領域の底部において、前記地中構造物の近傍に位置してもよい。
【０００８】
また、本発明の地中構造物の構築用の足場の設置方法は、土留壁を下方に行くに従って掘削領域側に寄るように構築して前記掘削領域を掘削し、前記掘削領域に地中構造物を構築するのに用いる足場を、前記土留壁に前記掘削領域の底部から離間した状態で支持されるように設置するものである。
【発明の効果】
【０００９】
本発明によれば、地中構造物の構築用の足場を、効率の良い構成にすることができる。
【図面の簡単な説明】
【００１０】
【図１】一実施形態に係る足場構造を示す斜視図である。
【図２】一実施形態に係る足場構造を示す立断面図である。
【発明を実施するための形態】
【００１１】
以下、本発明の一実施形態を、図面を参照しながら説明する。図１は、一実施形態に係る足場構造１００を示す斜視図であり、図２は、該足場構造１００を示す立断面図である。これらの図に示すように、足場構造１００は、下方に向って掘削領域１側に傾斜するように構築された土留壁１０と、土留壁１０に掘削領域１の底部から離間した状態で支持され、掘削領域１に地中構造物２（例えば、図示するようにＲＣ造のボックスカルバート）を構築するのに用いられる足場２０とを備えている。
【００１２】
土留壁１０は、下方に向って掘削領域１側に傾斜するように構築された鋼矢板壁であり、複数の鋼矢板１２が掘削領域１の外縁に沿って直線的に並んで連結されると共に、鉛直面Ｖに対して所定の傾斜角度（例えば、１０°）で下方に延びる構成となっている。ここで、複数の鋼矢板１２は、互いに隣り合ってジョイント１２Ｊで連結される物同士が、平面視において複数の連結点が直線的に並ぶように打設されている。
【００１３】
足場２０は、複数段の単管足場であり、足場２０の各段は、足場板２２と、横方向に延びる横パイプ２３からなる手摺２４と、手摺２４の底部に設置された幅木２６と、足場２０の各段を土留壁１０に支持する複数段の支持部３０とを備えている。
【００１４】
各段の支持部３０は、土留壁１０に固定された複数の形鋼３２を備えている。この複数の形鋼３２は、足場板２２の下に足場板２２の長手方向に沿って配されており、各形鋼３２は、各縦パイプ２１毎に設けられ、土留壁１０から水平方向に突出している。各形鋼３２には、縦パイプ２１及び足場板２２が固定されており、足場２０の各段は、各段の複数の形鋼３２により土留壁１０に支持されている。
【００１５】
最上段の支持部３０は、複数の補強鋼材３４を備えている。各補強鋼材３４は、各形鋼３２毎に設けられた斜材であって、一端は土留壁１０に固定され、他端は形鋼３２の下部に固定されており、各形鋼３２を補強している。ここで、補強鋼材３４は、足場２０の各段の幅や積載荷重等に応じて、強度計算上必要であれば設置すればよい。
【００１６】
縦パイプ２１は、鉛直に配されており、その縦パイプ２１と、上方に向って掘削領域１の反対側へ傾斜した土留壁１０との間に、足場２０の各段が設けられている。そのため、足場２０の各段の幅は、下段から上段にかけて次第に広くなっており、形鋼３２の長さは、下段から上段にかけて次第に長くなっている。また、本実施形態では、鉄筋や型枠材等が足場２０の最上段に積載されることから足場２０の最上段の積載荷重が大きくなっている。従って、最上段の形鋼３２は、長いと共に大きな力を受けるが故に強度計算上、補強鋼材３４が必要となっているのに対して、下側の形鋼３２は補強鋼材３４が不要となっている。
【００１７】
土留壁１０と地中構造物２との間隔は、足場２０を設置して足場２０上で配筋やコンクリート打設や防水処理等の作業を実施でき、作業者が昇降できるように設定されている。ここで、土留壁１０と地中構造物２との間隔は、下方に向って次第に狭くなっており、掘削領域１の底部では、土留壁１０が地中構造物２の近傍に位置し、土留壁１０と地中構造物２との間隔が、既製品の足場の最小幅よりも狭い６００ｍｍ以下とすることが可能になっている。
【００１８】
以上のような構成の足場構造１００は、まず、土留壁１０を下方に向って掘削領域１側に傾斜するように構築して掘削領域１を掘削し、その後、足場２０を、土留壁１０に掘削領域１の底部から離間した状態で支持されるように設置することによって構築する。足場２０を設置する際には、まず、形鋼３２及び補強鋼材３４をボルトにより土留壁１０に溶接等により固定し、その後、横パイプ２３を形鋼３２に金具を用いて固定し、横パイプ２３と縦パイプ２１とを金具を用いて組み上げ、足場板２２と幅木２６とを形鋼３２に固定する。なお、横パイプ２３と縦パイプ２１との固定方法は、溶接でもボルトによる締結でもよい。
【００１９】
以上説明したように、本実施形態に係る足場構造１００では、土留壁１０が下方に向って掘削領域１側に傾斜するように構築され、地中構造物２を構築するのに用いられる足場２０が、土留壁１０に掘削領域１の底部から離間した状態で支持されている。ここで、掘削領域１の底部での配筋やコンクリート打設等の作業に足場は不要であるところ、本実施形態に係る足場構造１００によれば、掘削領域１の底部から足場２０を組み上げるのではなく、掘削領域１の底部から離間した高さから足場２０を組み上げることによって、配筋やコンクリート打設等の作業に必要な範囲に限って足場２０を設置することができ、足場２０を効率の良い構成にすることができる。
【００２０】
また、掘削領域１の底部から足場を組み上げる場合には、不要な低所の足場を設置するための掘削が必要になり、掘削量が無駄に増加するところ、本実施形態に係る足場構造１００によれば、その無駄な掘削を不要にでき、掘削量を低減できる。特に、本実施形態に係る足場構造１００では、掘削領域１の底部において土留壁１０が地中構造物２の近傍に位置するように、土留壁１０を構築したことによって、掘削量をさらに低減できる。
【００２１】
また、本実施形態に係る足場構造１００では、下方に向って掘削領域１側へ傾斜した土留壁１０を構築して、その土留壁１０に足場２０を支持させているため、土留壁１０の背面側の地盤によっても、足場２０の荷重が受け止められる。従って、支持部３０や土留壁１０による足場２０の荷重の負担が軽減されるため、形鋼３２や補強鋼材３４の剛性を抑えて材料のコストを低減することができる。
【００２２】
また、本実施形態に係る足場構造１００では、土留壁１０を下方に向って掘削領域１側へ傾斜するように構築したことによって、足場２０の幅、即ち足場２０の土留壁１０からの突出量が、上側から下側へかけて次第に狭く（小さく）なっている。これによって、下側の形鋼３２の長さを補強が不要な長さにまで短くすることができ、下側の支持部３０の補強鋼材３４を不要にして材料のコストを低減することができる。
【００２３】
なお、上述の実施形態は、本発明の理解を容易にするためのものであり、本発明を限定するものではない。本発明はその趣旨を逸脱することなく、変更、改良され得ると共に本発明にはその等価物が含まれることは勿論である。例えば、上述の実施形態では、土留壁１０を鋼矢板壁としたが、鋼管矢板壁や親杭横矢板壁やソイルセメント柱列壁等の他の土留壁にしてもよい。また、上述の実施形態では、土留壁１０を直線的に下方に延びる構成としたが、曲線的に湾曲しながら下方に延びる構成としてもよい。また、上述の実施形態では、土留壁１０を、鋼矢板１２が掘削領域１の外縁に沿って直線的に並んで連結されるように構成したが、曲線的に並んで連結されるように構成してもよい。さらに、上述の実施形態では、足場２０を単管足場としたが、枠組足場等の他の足場にしてもよい。
【符号の説明】
【００２４】
１  掘削領域、２  地中構造物、１０  土留壁、１２  鋼矢板、１２Ｊ  ジョイント、２０  足場、２１  縦パイプ、２２  足場板、２３  横パイプ、２４  手摺、２６  幅木、３０  支持部、３２  形鋼、３４  補強鋼材、１００  足場構造
【図１】
2014148855.tif 000003
【図２】
2014148855.tif 000004